(57)【要約】【課題】  従来の加工用ブラシと比較して短時間でブラシ毛材に付着した塵埃を排出することができると共に、ブラシマークの発生を防止することができる加工用ブラシを提供する。  【解決手段】  加工用ブラシ１は、台座２と、２本のブラシ体４、５から構成されるブラシ部と、このブラシ部を台座２に溶接等の固定手段３によって固定され、２本のブラシ体４、５は、断面略Ｕ字状の帯状体４ｃ、５ｃと、芯線４ｂ、５ｂと、帯状体４ｃ、５ｃにより芯線４ｂ、５ｂと共に挟持されるブラシ毛材４ａ、５ａとで構成されたチャンネルブラシにより形成されており、２本のブラシ体４、５は、互いに隣り合うように台座２の回転中心にたいして２本のブラシ体４と５の合計で１周以上となって渦巻き状に形成されている。【選択図】図１
2015204957.tif 000002
【特許請求の範囲】
【請求項１】
被加工面の研削、研磨、表面処理、洗浄、ばり取り等の加工をする為の加工用ブラシにおいて、前記加工用ブラシは、台座と、ブラシ部と、前記ブラシ部を前記台座に固定する為の固定手段とを有し、前記ブラシ部は断面略Ｕ字状の帯状体、芯線、及び前記帯状体で前記芯線と共に挟持されるブラシ毛材とで構成されたチャンネルブラシからなるブラシ体が複数本形成されてあると共に、複数本の前記ブラシ体は、互いに隣り合うように前記台座の回転中心にたいして複数本の前記ブラシ体の合計で１周以上渦巻き状に形成されてあることを特徴とする加工用ブラシ。
【請求項２】
複数本のブラシ体は、各々のブラシ体の始点及び／又は終点が、台座の等分箇所に固定手段にて固定して形成されてあることを特徴とする請求項１に記載の加工用ブラシ。
【請求項３】
複数本のブラシ体は、各々のブラシ体を構成するブラシ毛材が異なる材質又は毛丈にて形成されてあることを特徴とする請求項１又は２に記載の加工用ブラシ。
【発明の詳細な説明】
【技術分野】
【０００１】
本発明は、被加工面の研削、研磨、表面処理、洗浄、ばり取り等の各種加工を行う加工用ブラシに関するものである。
【背景技術】
【０００２】
従来から、バリ取り用ブラシとして、円板状の本体に対し、その外周から中心付近までブラシ毛を粗いスパイラル状に連続させて設けたものが知られている（特許文献１）。
【０００３】
また、円盤状台座に、Ｕ字状の複数の第１ブラシセグメントを、開放されている両端を円盤状台座の中心側、湾曲部分が外縁側となるように円盤状台座の中心から外縁に向かって径方向に、且つ隣り合う前記ブラシセグメント同士を所定間隔で設け、隣り合う第１ブラシセグメント同士の間の領域内のそれぞれに円弧状の第２ブラシセグメントを配置し、各第２ブラシセグメントが所定間隔で環状に配列させたカップブラシが知られている（特許文献２の図４参照）。
【０００４】
また、円形の台座の円周から中心方向へ向けて弧を描き、且つ左右対称になるように植毛され、ブラシの毛の配列により形成される洗浄液の水路部の幅は、等間隔か又は円周から中心に向けて次第に狭くなるように形成された基板洗浄ブラシが知られている（特許文献３）。
【０００５】
また、ブラシ植毛材をブラシ本体の中空部から外周に向けて、複数条、スパイラル状に植毛する際に、その各条をすべて湾曲させ、各条のブラシ植毛材に引っかかった異物や摩耗粉を、その湾曲線に沿って移動させ、遠心力による放出効果を強めた洗浄用ブラシが知られている（特許文献４）。
【先行技術文献】
【特許文献】
【０００６】
【特許文献１】実開昭６１−３５７４４号公報
【特許文献２】特開２００７−１６７３６１号公報
【特許文献３】特開２００７−５４３１０号公報
【特許文献４】特開２０００−２３７４４号公報
【発明の概要】
【発明が解決しようとする課題】
【０００７】
上記特許文献１のバリ取り用ブラシでは、スパイラルの向きが一方向であることから、中心付近のブラシ毛材に付着した塵埃がブラシ毛材間に形成されている通路を経て外周側から排出させるのに時間を要するものであった。また、特許文献２のカップブラシは、Ｕ字状の複数の第１ブラシセグメントによって囲まれている中心部に塵埃が溜まりやすいものであった。
【０００８】
また、特許文献３の基板洗浄ブラシと、特許文献４の洗浄用ブラシは、ブラシ毛材に付着した塵埃を、短時間で外周側から排出させることができるという利点を有するものではあるが、ブラシマークが発生し易いという課題を有していた。
【０００９】
本発明は、上記課題を解決する為になされたもので、従来の加工用ブラシと比較して短時間でブラシ毛材に付着した塵埃を排出することができると共に、ブラシマークの発生を防止することができる加工用ブラシを提供することを目的としている。
【課題を解決するための手段】
【００１０】
上記従来の課題を解決する為に、請求項１の発明は、被加工面の研削、研磨、表面処理、洗浄、ばり取り等の加工をする為の加工用ブラシにおいて、前記加工用ブラシは、台座と、ブラシ部と、前記ブラシ部を前記台座に固定する為の固定手段とを有し、前記ブラシ部は断面略Ｕ字状の帯状体、芯線、及び前記帯状体で前記芯線と共に挟持されるブラシ毛材とで構成されたチャンネルブラシからなるブラシ体が複数本形成されてあると共に、複数本の前記ブラシ体は、互いに隣り合うように前記台座の回転中心にたいして複数本の前記ブラシ体の合計で１周以上渦巻き状に形成されてあることを特徴としている。ブラシ体により、１周以上の渦巻き状を形成しているので、ブラシマークの発生を防止することができる。また、複数本のブラシ体の合計で渦巻き状を形成しているので、短時間でブラシ毛材に付着している塵埃を排出させることができる。ブラシマークとは、被加工面に発生する洗浄残り等の加工残りの事である。
【００１１】
請求項２の発明は、請求項１に記載の構成よりなる加工用ブラシにおいて、複数本のブラシ体は、各々のブラシ体の始点及び／又は終点が、台座の等分箇所に固定手段にて固定して形成されてあることを特徴としている。したがって、加工用ブラシを高速で回転させた場合でも芯ブレを防ぐことができ、ブラシマークの発生を一層防止することができる。
【００１２】
請求項３の発明は、請求項１又は２に記載の構成よりなる加工用ブラシにおいて、複数本のブラシ体は、各々のブラシ体を構成するブラシ毛材が異なる材質又は毛丈にて形成されてあることを特徴としている。隣り合うブラシ体のブラシ毛材を異なる材質又は毛丈にて形成することによって、隣り合うブラシ体間に空間が形成されていない場合でもブラシ毛材間に強弱が発生することにより、塵埃が移動可能な空間が発生し、迅速に塵埃を排出させることができる。
【発明の効果】
【００１３】
請求項１の発明では、ブラシマークの発生を防止することができると共に、短時間でブラシ毛材に付着している塵埃を排出させることができる。また、請求項２の発明では、芯ブレを防ぐことができ、ブラシマークの発生を一層防止することができる。また、請求項３の発明では、隣り合うブラシ体間に空間が形成されていない場合でも迅速に塵埃を排出させることができる。
【図面の簡単な説明】
【００１４】
【図１】（ａ）本発明に係る加工用ブラシの第１実施形態を示す平面図（ｂ）図１（ａ）のＡ−Ａ断面図
【図２】（ａ）加工用ブラシの第２実施形態を示す平面図（ｂ）加工用ブラシの第３実施形態を示す平面図
【図３】（ａ）加工用ブラシの第４実施形態を示す平面図（ｂ）加工用ブラシの第５実施形態を示す平面図（ｃ）加工用ブラシの第６実施形態を示す平面図
【図４】（ａ）ブラシ体の毛先の方向の一例を示す側面図（ｂ）ブラシ体の毛先の方向の他例を示す側面図
【発明を実施するための形態】
【００１５】
以下、本発明の実施の形態について、図面を参照しながら説明する。なお、この実施の形態により本発明が限定されるものではない。
【００１６】
図１（ａ）は、本発明に係る加工用ブラシの第１実施形態を示す平面図であり、図１（ｂ）は、図１（ａ）のＡ−Ａ断面図である。第１実施形態の加工用ブラシ１は、被加工面の研削、研磨、表面処理、洗浄、ばり取り等の加工をする為に使用されるものであって、台座２と、２本のブラシ体４、５から構成されるブラシ部と、このブラシ部を台座２に溶接等の固定手段３によって固定されている。
【００１７】
また、２本のブラシ体４、５は、断面略Ｕ字状の帯状体４ｃ、５ｃと、芯線４ｂ、５ｂと、帯状体４ｃ、５ｃにより芯線４ｂ、５ｂと共に挟持されるブラシ毛材４ａ、５ａとで構成されたチャンネルブラシにより形成されている。
【００１８】
そして、２本のブラシ体４、５は、互いに隣り合うように台座２の回転中心にたいして２本のブラシ体４と５の合計で１周以上となって渦巻き状に形成されている。ここで、２本のブラシ体４と５の合計が１周以上となっているとは、ブラシ体の４と５の両端が、台座２の回転中心にたいして重なる部分２１、２２が存在していることを意味している。また、２本のブラシ体４と５が渦巻き状に形成されているとは、ブラシ体４の一方の端部が、ブラシ体５の一方の端部よりも回転中心にたいして外側に位置すると共に、ブラシ体５の他方の端部が、ブラシ体４の他方の端部よりも回転中心にたいして外側に位置する状態となるように形成されていることを意味している。その為、加工時においては、加工用ブラシ１が１８０度回転する事により、ブラシ体４または５の一方の端部が、ブラシ体５または４の他方の端部の位置に移動することができる。また、１本のブラシ体で渦巻き状に形成した従来技術においては、回転中心にたいして周方向の同位置になるまでに３６０度の回転が必要だが、第１実施形態においては、半分の１８０度の回転にて回転中心にたいして周方向の同位置になる。
【００１９】
したがって、ブラシ体４と５により、１周以上の渦巻き状を形成しているので、ブラシマークの発生を防止することができると共に、２本のブラシ体４と５の合計で渦巻き状を形成しているので、短時間でブラシ毛材４ａ、５ａに付着している塵埃を排出させることができる。
【００２０】
また、２本のブラシ体４、５は、各々のブラシ体の始点が、台座２を２等分する位置で固定手段にて固定されている。さらに、２本のブラシ体４、５は、各々のブラシ体の終点が、台座２を２等分する位置で溶接等の固定手段にて固定されている。
【００２１】
ここで、ブラシ体４、５の始点とは、台座２の回転中心にたいして外側に位置する端部を意味し、ブラシ体４、５の終点とは、台座２の回転中心にたいして内側に位置する端部を意味している。このように構成することによって、加工用ブラシを高速で回転させた場合でも芯ブレを防ぐことができ、ブラシマークの発生を一層防止することができる。
【００２２】
尚、２本のブラシ体４、５は、各々のブラシ体を構成するブラシ毛材４ａとブラシ毛材５ａとが異なる材質又は毛丈にて形成されるようにすることができる。このように構成することによって、隣り合うブラシ体４と５の間に空間が形成されていない場合でもブラシ毛材４ａと５ａとの間に強弱が発生することにより、塵埃が移動可能な空間が発生し、迅速に塵埃を排出させることができる。また、第１実施形態においては、ブラシ体は２本だが、ブラシ体の本数は、例えば、３本、４本等、２本以上であれば、本発明に含まれる。また、２本のブラシ体を、例えば、１本は２７０度以上、他の１本は９０度以上に形成して、１周以上の渦巻き状を形成する等、それぞれのブラシ体の全長を異ならせる形態も、本発明に含まれる。さらにまた、２本のブラシ体４、５は、各々のブラシ体を構成するブラシ毛材４ａとブラシ毛材５ａに同材質を使用すると共に、ブラシ毛材４ａとブラシ毛材５ａの植毛密度を異ならせて形成されるようにすることもできる。このように構成することによって、隣り合うブラシ体４と５の間に空間が形成されていない場合でもブラシ毛材４ａと５ａとの間に強弱が発生することにより、塵埃が移動可能な空間が発生し、迅速に塵埃を排出させることができる。
【００２３】
図２（ａ）は、本発明に係る加工用ブラシの第２実施形態を示す平面図である。第２実施形態の加工用ブラシ１０は、２本のブラシ体６、７は、互いに隣り合うように台座２の回転中心にたいして２本のブラシ体６と７の合計で１周以上となって渦巻き状に形成されている。また、ブラシ体の６と７の両端部近傍は、台座２の回転中心方向に重なる部分２３、２４があり、この重なる部分は、ブラシ体６と７の帯状体が接触してはおらず、空間部２５、２６が形成されている。
【００２４】
したがって、ブラシ体６と７により、１周以上の渦巻き状を形成しているので、ブラシマークの発生を防止することができると共に、２本のブラシ体６と７の合計で渦巻き状を形成すると共に空間部２５、２６を形成しているので、短時間でブラシ毛材６ａ、７ａに付着している塵埃を排出させることができる。
【００２５】
また、２本のブラシ体６、７は、各々のブラシ体の始点が、台座２を２等分する位置で溶接等の固定手段にて固定されている。さらに、２本のブラシ体６、７は、各々のブラシ体の終点が、台座２を２等分する位置で固定手段にて固定されている。したがって、加工用ブラシを高速で回転させた場合でも芯ブレを防ぐことができ、ブラシマークの発生を一層防止することができる。
【００２６】
図２（ｂ）は、本発明に係る加工用ブラシの第３実施形態を示す平面図である。第３実施形態の加工用ブラシ２０は、２本のブラシ体８、９は、両端部２７、２８が互いに隣り合うようにして台座２の回転中心にたいして２本のブラシ体８と９の合計で略１周となって渦巻き状に形成されている。したがって、ブラシ体８と９により、略１周の渦巻き状を形成しているので、ブラシマークの発生を防止することができると共に、２本のブラシ体８と９の合計で渦巻き状を形成しているので、短時間でブラシ毛材８ａ、９ａに付着している塵埃を排出させることができる。その他の部分は、第１実施形態の加工用ブラシと同様なので説明は省略する。
【００２７】
図３（ａ）は、本発明に係る加工用ブラシの第４実施形態を示す平面図である。第４実施形態の加工用ブラシ３０は、２本のブラシ体１１、１２は、互いに隣り合うように台座２の回転中心にたいして２本のブラシ体１１と１２の合計で略２周となって渦巻き状に形成されている。また、ブラシ体１１と１２は、台座２の回転中心方向に重なる部分があり、この重なる部分のブラシ体１１と１２の帯状体は接触しておらず、空間部２９、３１が形成されている。したがって、ブラシ体１１と１２により、略２周の渦巻き状を形成しているので、ブラシマークの発生を防止することができる。また、２本のブラシ体１１と１２の合計で略２周の渦巻き状を形成すると共に空間部２９、３１を形成しているので、短時間でブラシ毛材１１ａ、１２ａに付着している塵埃を排出させることができる。
【００２８】
また、２本のブラシ体１１、１２は、各々のブラシ体の始点が、台座２を２等分する位置で溶接等の固定手段にて固定されている。さらに、２本のブラシ体１１、１２は、各々のブラシ体の終点が、台座２を２等分する位置で固定手段にて固定されている。したがって、加工用ブラシを高速で回転させた場合でも芯ブレを防ぐことができ、ブラシマークの発生を一層防止することができる。
【００２９】
図３（ｂ）は、本発明に係る加工用ブラシの第５実施形態を示す平面図である。第５実施形態の加工用ブラシ４０は、３本のブラシ体１３、１４、１５は、互いに隣り合うように台座２の回転中心にたいして３本のブラシ体１３と１４と１５の合計で略３周となって渦巻き状に形成されている。また、ブラシ体１３と１４と１５は、台座２の回転中心方向に重なる部分があり、この重なる部分のブラシ体１３と１４と１５の帯状体は接触しておらず、空間部３２、３３、３４が形成されている。したがって、ブラシ体１３と１４と１５とにより、略３周の渦巻き状を形成しているので、ブラシマークの発生を防止することができる。また、３本のブラシ体１３と１４と１５の合計で略３周の渦巻き状を形成すると共に空間部３２、３３、３４を形成しているので、短時間でブラシ毛材１３ａ、１４ａ、１５ａに付着している塵埃を排出させることができる。
【００３０】
また、３本のブラシ体１３、１４、１５は、各々のブラシ体の始点が、台座２を３等分する位置で溶接等の固定手段にて固定されている。さらに、３本のブラシ体１３、１４、１５は、各々のブラシ体の終点が、台座２を３等分する位置で固定手段にて固定されている。したがって、加工用ブラシを高速で回転させた場合でも芯ブレを防ぐことができ、ブラシマークの発生を一層防止することができる。なお、本発明は、複数本のブラシ体が、互いに隣り合うように台座の回転中心にたいして複数本のブラシ体の合計で１周以上渦巻き状に形成されてあることを特徴としているので、ブラシ体１３、１４、１５のいずれか１本が形成されていない形態であっても、本発明に含まれる。
【００３１】
図３（ｃ）は、本発明に係る加工用ブラシの第６実施形態を示す平面図である。第６実施形態の加工用ブラシ５０は、４本のブラシ体１６、１７、１８、１９は、互いに隣り合うように台座２の回転中心にたいして４本のブラシ体１６と１７と１８と１９の合計で略４周となって渦巻き状に形成されている。また、ブラシ体１６と１７と１８と１９は、台座２の回転中心方向に重なる部分があり、この重なる部分のブラシ体１６と１７と１８と１９の帯状体は接触しておらず、空間部３５、３６、３７、３８が形成されている。したがって、ブラシ体１６と１７と１８と１９とにより、略４周の渦巻き状を形成しているので、ブラシマークの発生を防止することができる。また、４本のブラシ体１６と１７と１８と１９の合計で略４周の渦巻き状を形成すると共に空間部３５、３６、３７、３８を形成しているので、短時間でブラシ毛材１６ａ、１７ａ、１８ａ、１９ａに付着している塵埃を排出させることができる。
【００３２】
また、４本のブラシ体１６、１７、１８、１９は、各々のブラシ体の始点が、台座２を４等分する位置で溶接等の固定手段にて固定されている。さらに、４本のブラシ体１６、１７、１８、１９は、各々のブラシ体の終点が、台座２を４等分する位置で固定手段にて固定されている。したがって、加工用ブラシを高速で回転させた場合でも芯ブレを防ぐことができ、ブラシマークの発生を一層防止することができる。なお、本発明は、複数本のブラシ体が、互いに隣り合うように台座の回転中心にたいして複数本のブラシ体の合計で１周以上渦巻き状に形成されてあることを特徴としているので、ブラシ体１６、１７、１８、１９のいずれか１本が形成されていない形態、又はブラシ体１６、１７、１８、１９のいずれか２本が形成されていない形態であっても、本発明に含まれる。
【００３３】
図４（ａ）は、ブラシ体の毛先の方向の一例を示す側面図である。この図において矢印は、加工用ブラシの回転方向を示しており、ブラシ体４２は、ブラシ毛材３９、３９・・を、帯状体４３の長手方向に対して垂直な方向から加工用ブラシの回転方向とは逆の方向に傾斜させている。このように構成することによって、ブラシ毛材３９は、被加工面に撫でるように接触することとなり、被加工面の表面粗さを細かくすることができる。また、ブラシ毛材３９に加わる負荷が小さくなるので、ブラシ毛材３９の長寿命化を図ることができる。
【００３４】
図４（ｂ）は、ブラシ体の毛先の方向の他例を示す側面図である。この図において矢印は、加工用ブラシの回転方向を示しており、ブラシ体４４は、ブラシ毛材４１、４１・・を、帯状体４５の長手方向に対して垂直な方向から加工用ブラシの回転方向に傾斜させている。このように構成することによって、ブラシ毛材４１は、被加工面に強く接触することとなり、研削力を増加させることができる。
【産業上の利用可能性】
【００３５】
本発明の加工用ブラシは、被加工面の研削、研磨、表面処理、洗浄、ばり取り等の加工をする為に使用される。
【符号の説明】
【００３６】
１、１０、２０、３０、４０、５０  加工用ブラシ
２  台座
３  固定手段
４、５、６、７、８、９、１１、１２、１３、１４、１５、１６、１７、１８、１９、４２、４４  ブラシ体
４ａ、５ａ、６ａ、７ａ、８ａ、９ａ、１１ａ、１２ａ、１３ａ、１４ａ、１５ａ、１６ａ、１７ａ、１８ａ、１９ａ、３９、４１  ブラシ毛材
４ｂ、５ｂ  芯線
４ｃ、５ｃ、４３、４５  帯状体
２１、２２、２３、２４  重なる部分
２５、２６、２９、３１、３２、３３、３４、３５、３６、３７、３８  空間部
２７、２８  両端部
【図１】
2015204957.tif 000003
【図２】
2015204957.tif 000004
【図３】
2015204957.tif 000005
【図４】
2015204957.tif 000006